(57)【要約】      （修正有）【課題】物品棚に分野別に収容される物品の入れ替えを行っても、容易にその物品を管理できるようにする。【解決手段】物品棚１に収容され、それぞれ物品識別用無線タグ４が付された複数の物品２を管理するシステムは、区画識別用無線タグが付された仕切り板３Ａ〜３Ｅと、無線タグ読取装置５と、複数の仕切り板によってそれぞれ仕切られる棚板の複数区画をそれぞれ識別するための区画識別情報に対応して、その区画内に収容されるべき各物品をそれぞれ識別するための物品識別情報を記録する物品管理データベースと、この物品管理データベースにアクセス可能であるとともに、無線タグ読取装置５に接続され、この無線タグ読取装置５によって読み取られた物品識別用無線タグ及び区画識別用無線タグの各タグ情報を処理する情報処理装置７を備える。【選択図】図１
2010247906.tif 000002
【特許請求の範囲】
【請求項１】
物品棚の棚板に収容された物品を仕切る仕切り板であって、
電波を遮断する部材からなる第１の板体と、
電波を透過する部材からなり、前記第１の板体の少なくとも一方の面に裏面が張り合わされる第２の板体と、を具備し、
前記第２の板体の表面側に、当該仕切り板によって仕切られる棚板の区画を識別するための区画識別情報を記録可能な区画識別用無線タグを取り付けたことを特徴とする仕切り板。
【請求項２】
前記第２の板体の表面側における前記区画識別用無線タグ取付位置より、当該仕切り板の前記物品棚への挿入方向に沿って奥側の端部に、電波出力調整用無線タグを取り付けたことを特徴とする請求項１記載の仕切り板。
【請求項３】
物品棚の棚板に収容された物品を仕切る仕切り板であって、
板体と、
この板体の少なくとも一方の面に、所定の間隔を有して周期的に配列される導体パターンを形成してなるＥＢＧ（Electronic Band Gap）構造体とを具備し、
前記ＥＢＧ構造体の表面側に、当該仕切り板によって仕切られる棚板の区画を識別するための区画識別情報を記録可能な区画識別用無線タグを取り付けたことを特徴とする仕切り板。
【請求項４】
前記ＥＢＧ構造体の表面側における前記区画識別用無線タグ取付位置より、当該仕切り板の前記物品棚への挿入方向に沿って奥側の端部に、電波出力調整用無線タグを取り付けたことを特徴とする請求項３記載の仕切り板。
【請求項５】
物品棚の棚板に収容された物品を仕切る仕切り板であって、
電波を遮断する部材からなる第１の板体と、電波を透過する部材からなり、前記第１の板体の両面にそれぞれ裏面が張り合わされる一対の第２の板体とを備えた仕切り板本体と、
この仕切り板本体に貼り付けられるラベルと、を具備し、
前記ラベルは、
一対の平行な長辺と一対の平行な短辺とを有し、裏面を前記仕切り板との接着面とするラベル用紙と、
前記仕切り板本体の前記物品棚への挿入方向に沿って手前側の端面を覆うように、前記ラベル用紙の前記一対の長辺の各中央部よりいずれか一方の短辺側にずれた位置に前記短辺と平行に形成された折り返し部と、
前記ラベル用紙の前記折り返し部を挟んで両側近傍の表面に設けられた２つの印字部と、を備え、
前記仕切り板本体によって仕切られる棚板の区画を識別するための区画識別情報を記録可能な区画識別用無線タグを、前記仕切り板本体に貼り付けられた前記ラベル用紙の前記折り返し部から短辺までの長さが長い側に設けられた前記印字部の近傍に取り付けることを特徴とする仕切り板。
【請求項６】
前記ラベル用紙の前記区画識別用無線タグ取付位置より前記折り返し部側とは反対側の前記短辺近傍に、電波出力調整用無線タグを取り付けたことを特徴とする請求項５記載の仕切り板。
【請求項７】
物品棚の棚板に収容された物品を仕切る仕切り板であって、
板体と、この板体の両面に、所定の間隔を有して周期的に配列される導体パターンを形成してなる一対のＥＢＧ（Electronic Band Gap）構造体とを備えた仕切り板本体と、
この仕切り板本体に貼り付けられるラベルと、を具備し、
前記ラベルは、
一対の平行な長辺と一対の平行な短辺とを有し、裏面を前記仕切り板本体との接着面とするラベル用紙と、
前記仕切り板本体の前記物品棚への挿入方向に沿って手前側の端面を覆うように、前記ラベル用紙の前記一対の長辺の各中央部よりいずれか一方の短辺側にずれた位置に前記短辺と平行に形成された折り返し部と、
前記ラベル用紙の前記折り返し部を挟んで両側近傍の表面に設けられた２つの印字部と、を備え、
前記仕切り板本体によって仕切られる棚板の区画を識別するための区画識別情報を記録可能な区画識別用無線タグを、前記仕切り板本体に貼り付けられた前記ラベル用紙の前記折り返し部から短辺までの長さが長い側に設けられた前記印字部の近傍に取り付けることを特徴とする仕切り板。
【請求項８】
前記ラベル用紙の前記区画識別用無線タグ取付位置より前記折り返し部側とは反対側の前記短辺近傍に、電波出力調整用無線タグを取り付けたことを特徴とする請求項７記載の仕切り板。
【請求項９】
物品棚の棚板に収容された物品を仕切る仕切り板に貼り付けられるラベルであって、
一対の平行な長辺と一対の平行な短辺とを有し、裏面を前記仕切り板との接着面とするラベル用紙と、
前記仕切り板の前記物品棚への挿入方向に沿って手前側の端面を覆うように、前記ラベル用紙の前記一対の長辺の各中央部よりいずれか一方の短辺側にずれた位置に前記短辺と平行に形成された折り返し部と、
前記ラベル用紙の前記折り返し部を挟んで両側近傍の表面に設けられた２つの印字部と、を具備し、
前記仕切り板によって仕切られる棚板の区画を識別するための区画識別情報を記録可能な区画識別用無線タグを、前記ラベル用紙の前記折り返し部から短辺までの長さが長い側に設けられた前記印字部の近傍に取り付けることを特徴とする仕切り板用ラベル。
【請求項１０】
前記ラベル用紙の前記区画識別用無線タグ取付位置より前記折り返し部側とは反対側の前記短辺側の端部に、電波出力調整用無線タグを取り付けたことを特徴とする請求項９記載の仕切り板用ラベル。
【請求項１１】
物品棚の棚板に収容され、それぞれ物品を識別するための物品識別情報を記録可能な物品識別用無線タグが付された複数の物品を管理する物品管理システムにおいて、
請求項１，３，５または７のうちいずれか１項に記載の仕切り板と、
前記物品識別用無線タグ及び前記仕切り板に取り付けられた区画識別用無線タグにそれぞれ記録されたタグ情報を無線通信により読み取る無線タグ読取装置と、
複数の前記仕切り板によってそれぞれ仕切られる前記棚板の複数区画をそれぞれ識別するための区画識別情報に対応して、その区画内に収容されるべき各物品をそれぞれ識別するための物品識別情報を記録する物品管理データベースと、
この物品管理データベースにアクセス可能であるとともに、前記無線タグ読取装置に接続され、この無線タグ読取装置によって読み取られた前記物品識別用無線タグ及び前記区画識別用無線タグの各タグ情報を処理する情報処理装置と、を具備し、
前記情報処理装置は、
前記区画識別用無線タグのタグ情報が読み取られたことに応じて、そのタグ情報に含まれる区画識別情報で前記物品管理データベースを検索して当該区画識別情報に対応して記憶されている物品識別情報を抽出する抽出手段と、
いずれか１つの区画識別用無線タグのタグ情報が読み取られてから別の区画識別用無線タグのタグ情報が読み取られるまでの間、前記物品識別用無線タグのタグ情報が読み取られる毎に、この物品識別用無線タグのタグ情報に含まれる物品識別情報が、前記抽出手段で抽出した物品識別情報の中に存在するか否かを判定する判定手段と、
この判定手段による判定結果を報知する報知手段と、
を具備したことを特徴とする物品管理システム。
【請求項１２】
物品棚の棚板に収容され、それぞれ物品を識別するための物品識別情報を記録可能な物品識別用無線タグが付された複数の物品を管理する物品管理システムにおいて、
請求項２，４，６または８のうちいずれか１項に記載の仕切り板と、
前記物品識別用無線タグ及び前記仕切り板に取り付けられた区画識別用無線タグ並びに電波出力調整用無線タグにそれぞれ記録されたタグ情報を無線通信により読み取る無線タグ読取装置と、
複数の前記仕切り板によってそれぞれ仕切られる前記棚板の複数区画をそれぞれ識別するための区画識別情報に対応して、その区画内に収容されるべき各物品をそれぞれ識別するための物品識別情報を記録する物品管理データベースと、
この物品管理データベースにアクセス可能であるとともに、前記無線タグ読取装置に接続され、この無線タグ読取装置によって読み取られた前記物品識別用無線タグ、前記区画識別用無線タグ及び前記電波出力調整用無線タグのタグ情報を処理する情報処理装置と、を具備し、
前記情報処理装置は、
前記区画識別用無線タグのタグ情報が読み取られたことに応じて、その区画識別用無線タグと同じ仕切り板に取り付けられている電波出力調整用無線タグの読み取りを、前記無線タグ読取装置の電波出力レベルを段階的に切り換えて繰返し行い、前記無線タグ読取装置の電波出力レベルを前記電波出力調整用無線タグが読み取れない最大レベルに設定するレベル設定手段と、
前記区画識別用無線タグのタグ情報が読み取られたことに応じて、そのタグ情報に含まれる区画識別情報で前記物品管理データベースを検索して当該区画識別情報に対応して記憶されている物品識別情報を抽出する抽出手段と、
前記レベル設定手段により設定された電波出力レベルで前記無線タグ読取装置を動作させ、いずれか１つの区画識別用無線タグのタグ情報が読み取られてから別の区画識別用無線タグのタグ情報が読み取られるまでの間、前記物品識別用無線タグのタグ情報が読み取られる毎に、この物品識別用無線タグのタグ情報に含まれる物品識別情報が、前記抽出手段で抽出した物品識別情報の中に存在するか否かを判定する判定手段と、
この判定手段による判定結果を報知する報知手段と、
を具備したことを特徴とする物品管理システム。
【発明の詳細な説明】
【技術分野】
【０００１】
本発明は、棚に並べられる書籍等の物品を管理する物品管理システム及びこのシステムに用いられる仕切り板並びにこの仕切り板に貼り付けられるラベルに関する。
【背景技術】
【０００２】
従来のこの種の物品管理システムとして、特許文献１記載のものが知られている。この文献記載のシステムは、管理対象である各書籍にそれぞれ書籍無線タグを付すとともに、これらの書籍が分野別に収容される棚の前面に、分野毎にそれぞれ棚無線タグを付す。そして、これら書籍無線タグ及び棚無線タグと無線通信を行い、非接触でデータの読書きを行うリーダ・ライタと、このリーダ・ライタに接続されたパソコンとを備える。
【０００３】
書籍無線タグには、そのタグが付された書籍を識別するための書籍識別ＩＤが記憶される。棚無線タグには、そのタグが付された棚に収容される書籍の分野を識別するための棚識別ＩＤが記憶される。パソコンは、書籍管理データベースを有する。書籍管理データベースには、各書籍の通し番号に対応して、その書籍に付されている書籍無線タグの書籍識別ＩＤと、その書籍が置かれている棚に付された棚無線タグの棚識別ＩＤとが記憶される。
【０００４】
棚卸の際には、リーダ・ライタで、棚卸対象の棚に付された棚無線タグの棚識別ＩＤを読み取るとともに、その棚に収容された各書籍にそれぞれ付された書籍無線タグの書籍識別ＩＤを読み取る。パソコンは、書籍管理用ソフトに基づき、書籍管理データベースを検索して、過去の棚卸時にその棚に収容されていた書籍と、今回の棚卸時に実際にその棚に収容されている書籍との照合を行い、その結果、パソコンのディスプレイに表示する。
【発明の概要】
【発明が解決しようとする課題】
【０００５】
上述した従来の物品管理システムは、書籍が分野別に収容される棚の前面に、分野毎に棚無線タグを付すので、予めどの分野の書籍を棚のどの場所に置くかを決めておく必要があった。このため、書籍の増減や分野の変更等により書籍の入替えをしたくても、容易には対応できないという問題があった。
【０００６】
本発明はこのような事情に基づいてなされたもので、その目的とするところは、物品棚に区画別に収容される物品の入れ替えを行っても、容易にその物品を管理することができる物品管理システム及びこのシステムに用いられる仕切り板、並びにこの仕切り板に付されるラベルを提供しようとするものである。
【課題を解決するための手段】
【０００７】
本発明の物品管理システムは、物品棚の棚板に収容され、それぞれ物品を識別するための物品識別情報を記録可能な物品識別用無線タグが付された複数の物品を管理するものであって、区画識別用無線タグが付された仕切り板と、前記物品識別用無線タグ及び区画識別用無線タグにそれぞれ記録されたタグ情報を無線通信により読み取る無線タグ読取装置と、複数の仕切り板によってそれぞれ仕切られる棚板の複数区画をそれぞれ識別するための区画識別情報に対応して、その区画内に収容されるべき各物品をそれぞれ識別するための物品識別情報を記録する物品管理データベースと、この物品管理データベースにアクセス可能であるとともに、無線タグ読取装置に接続され、この無線タグ読取装置によって読み取られた物品識別用無線タグ及び区画識別用無線タグの各タグ情報を処理する情報処理装置とを備える。
【０００８】
仕切り板は、電波を遮断する部材からなる第１の板体と、電波を透過する部材からなり、第１の板体の少なくとも一方の面に裏面が張り合わされる第２の板体とを具備し、第２の板体の表面側に、当該仕切り板によって仕切られる棚板の区画を識別するための区画識別情報を記録可能な区画識別用無線タグを取り付けている。
【０００９】
あるいは、仕切り板は、電波を遮断する部材からなる第１の板体と、電波を透過する部材からなり、第１の板体の両面にそれぞれ裏面が張り合わされる一対の第２の板体とを備えた仕切り板本体と、この仕切り板本体に貼り付けられるラベルとを具備する。
【００１０】
そのラベルは、一対の平行な長辺と一対の平行な短辺とを有し、裏面を前記仕切り板との接着面とするラベル用紙と、仕切り板本体の物品棚への挿入方向に沿って手前側の端面を覆うように、ラベル用紙の一対の長辺の各中央部よりいずれか一方の短辺側にずれた位置に短辺と平行に形成された折り返し部と、ラベル用紙の折り返し部を挟んで両側近傍の表面に設けられた２つの印字部とを備えている。そして、仕切り板本体によって仕切られる棚板の区画を識別するための区画識別情報を記録可能な区画識別用無線タグを、仕切り板本体に貼り付けられたラベル用紙の前記折り返し部から短辺までの長さが長い側に設けられた印字部の近傍に取り付けたものである。
【００１１】
情報処理装置は、区画識別用無線タグのタグ情報が読み取られたことに応じて、そのタグ情報に含まれる区画識別情報で物品管理データベースを検索して当該区画識別情報に対応して記憶されている物品識別情報を抽出する抽出手段と、いずれか１つの区画識別用無線タグのタグ情報が読み取られてから別の区画識別用無線タグのタグ情報が読み取られるまでの間、物品識別用無線タグのタグ情報が読み取られる毎に、この物品識別用無線タグのタグ情報に含まれる物品識別情報が、抽出手段で抽出した物品識別情報の中に存在するか否かを判定する判定手段と、この判定手段による判定結果を報知する報知手段とを備える。
【発明の効果】
【００１２】
かかる手段を講じた本発明によれば、物品棚に区画別に収容される物品の入れ替えを行っても、容易にその物品を管理することができる物品管理システム及びこのシステムに用いられる仕切り板、並びにこの仕切り板に付されるラベルを提供することができる。
【図面の簡単な説明】
【００１３】
【図１】本発明の一実施の形態における書籍管理システムの全体構成図。
【図２】同実施形態における仕切り板の正面図、裏面図及び断面図。
【図３】同実施形態におけるラベルの平面図。
【図４】同実施形態における図書管理端末の要部構成を示すブロック図。
【図５】同実施形態において、図書管理端末が有する仕切り板データベースのデータ構造を示す図。
【図６】同実施形態において、図書管理端末が有する図書データベースのデータ構造を示す図。
【図７】同実施形態において、図書管理端末のＣＰＵが実行する図書管理処理の要部処理手順を示す流れ図。
【図８】図７における蔵書検索処理の手順を具体的に示す流れ図。
【図９】図書管理端末のディスプレイに表示される警告画面の一例を示す図。
【図１０】仕切り板の他の実施形態を示す正面図、裏面図及び断面図。
【発明を実施するための形態】
【００１４】
以下、本発明に係る一実施の形態を図面を用いて説明する。  
なお、この実施の形態は、図書館の書棚に収容される図書（書籍、ＣＤ、ＤＶＤ等を含む）を管理する図書管理システムに、本発明を適用した場合である。
【００１５】
初めに、図書管理システムの概略について説明する。図１は本実施の形態における書籍管理システムの全体構成図であり、符号“１”は、物品棚としての書棚を示している。同図では、３段の書棚を１基のみ示しているが、棚の段数及び基数は、特に限定されるものではない。
【００１６】
書棚１の各段を形成する棚板１Ａ，１Ｂ，１Ｃには、物品としての複数の図書２が分野別に分類されて収容される。また、各棚板１Ａ，１Ｂ，１Ｃにそれぞれ収容された図書２を分野毎に仕切るために、複数枚（図では５枚）の仕切り板３（３Ａ，３Ｂ，３Ｃ，３Ｄ，３Ｅ）が、分野の異なる図書２の間に挿入される。
【００１７】
各図書２には、その背表紙部分に、それぞれ物品識別用無線タグとしての図書識別用無線タグ４が貼り付けられている。図書識別用無線タグ４は、パッシブ型無線タグであり、そのタグが付された図書２を識別するための図書識別情報として図書固有の図書ＩＤを記憶している。なお、図１では、スペースの都合上、１段目の棚板１Ａに収容された図書のみに該図書の符号“２”を付し、３段目の棚板１Ｃに収容された図書の図書識別用無線タグのみに該タグの符号“４”を付している。
【００１８】
図１において、符号“５”は、無線タグ読取装置の一態様であるハンディ型の無線タグリーダである。この無線タグリーダ５は、起動状態にあるとき、把持部５Ａに設けられた動作ボタン５Ｂが押下されると、把持部５Ａと反対側のアンテナ面５Ｃに設けられたアンテナ５Ｄから、アンテナ面５Ｃの前方にタグ読取用の電波を送信出力する。この電波の交信領域６内に無線タグが存在すると、この無線タグとアンテナ５Ｄとの間で無線による信号の送受信が行われて、無線タグリーダ５は、この無線タグのメモリに記憶されているタグデータ（ＩＤ等）を非接触で読み取ることができる。無線タグリーダ５は、アンテナ面５Ｃから放射される電波の送信出力レベルを段階的に強弱させることができる。
【００１９】
図１において、符号“７”は、情報処理装置としての図書管理端末である。図書管理端末７は、通信ケーブル８を介して無線タグリーダ５を接続する。そして、この無線タグリーダ５の起動及び停止を制御する機能と、無線タグリーダ５で読み取られた無線タグのデータを処理して図書２を管理する機能とを、後述する図書管理プログラムによって実現している。
【００２０】
次に、仕切り板３について説明する。図２の（ａ）は仕切り板３の正面図、図２の（ｂ）は裏面図、図２の（ｃ）は図２（ｂ）のＲ−Ｒ矢視断面図である。仕切り板３は、例えばアルミ板等のように電波を遮断する部材からなる第１の板体１１と、この第１の板体１１と同一サイズであって、例えば発泡スチロール等のように電波を透過する部材からなる一対の第２の板体１２、１３を備える。そして、第１の板体１１を挟み込むように、第１の板体１１の両面にそれぞれ第２の板体１２，１３の背面を張り合わせて、仕切り板３の本体１０を構成している。
【００２１】
電波を遮断する部材に無線タグが接していると、無線タグは、無線タグリーダ５からの電波に応答しない。電波を遮断する部材から少なくとも１ｃｍ程度離れると、無線タグは、無線タグリーダ５からの電波に応答する。このため、第２の板体１２，１３は、１ｃｍ以上の板厚を有する。ただし、必要以上に厚くすると、仕切り板本体１０の厚みが増して、棚に収容できる図書２の数が減少する。したがって、第２の板体１２，１３の板厚は、１ｃｍ程度とすることが望ましい。
【００２２】
なお、電波を遮断する部材からどの程度離れると無線タグが無線タグリーダ５からの電波に応答するかは、無線タグの特性によって異なる。要は、無線タグの特性を考慮して、第２の板体１２，１３の板厚を、無線タグリーダ５からの電波に無線タグが応答する最小の厚みとすることで、そのメリットは大きい。
【００２３】
仕切り板本体１０には、ラベル２０が貼り付けられている。ラベル２０は、図３に示すように、一対の平行な長辺と、同じく一対の平行な短辺とを有する長方形状のラベル用紙２１を主体とする。なお、ラベル用紙２１の形状は長方形に限定されるものではなく、一対の平行な長辺と短辺を有していれば、例えば４隅の角を丸くした形状であってもよい。
【００２４】
ラベル用紙２１は、その裏面を、前記仕切り板本体１０との接着面とする。そして、仕切り板本体１０の前記書棚１への挿入方向に沿って手前側の端面を覆うように、ラベル用紙２１の一対の長辺の各中央部より一方の短辺側にずれた位置に、折り返し部２２を短辺と平行に形成している。また、この折り返し部２２を挟んで両側近傍の表面に、２つの印字部２３、２４を形成している。各印字部２３，２４には、当該ラベル２０が貼り付けられる仕切り板本体１０によって仕切られる棚板の区画に収容される図書の分野を示す情報（分類番号、分類名称等）がそれぞれ印字される。
【００２５】
ラベル用紙２１は、一方の印字部２３の近傍に、区画識別用無線タグ３１を取り付けている。さらに、この区画識別用無線タグ３１の取付位置より折り返し部２２側とは反対側の短辺近傍に、電波出力調整用無線タグ３２を取り付けている。なお、両無線タグ３１，３２は、ラベル用紙２１の表面側に取り付けられていてもよいし、裏面側に取り付けられていてもよい。
【００２６】
両無線タグ３１，３２は、いずれもパッシブ型無線タグである。区画識別用無線タグ３１は、このタグ３１が付された仕切り板本体１０によって仕切られる棚板の区画を識別するための区画識別情報として区画ＩＤを記憶する。電波出力調整用無線タグ３２は、この区画ＩＤに関連付けられて任意に設定された出力調整用ＩＤを記憶する。
【００２７】
次に、図書管理端末７について説明する。図４は図書管理端末７のハードウェア構成を示すブロック図である。図４に示すように、図書管理端末７は、制御部本体を構成するＣＰＵ４１、ＲＯＭ、ＲＡＭ等の主記憶部４２、ハードディスク、フラッシュメモリ等の補助記憶部４３、キーボード４４、ディスプレイ４５及びインターフェース４６を備えている。インターフェース４６には、前記無線タグリーダ５が電気的に接続される。このようなハードウェア構成を有する図書管理端末７は、例えばパソコンによって実現することができる。
【００２８】
補助記憶部４３は、図５に示すデータ構造の仕切り板データベース５０と、図６に示すデータ構造の図書データベース６０とを記憶する。  
図５に示すように、仕切り板データベース５０は、各仕切り板３にそれぞれラベル２０を介して取り付けられる区画識別用無線タグ３１の区間ＩＤに関連付けて、この仕切り板３によって仕切られた区画に収容されるべき図書の分野を示す分類番号及び分類名称と、この仕切り板３にラベル２０を介して取り付けられる電波出力調整用無線タグ３２の出力調整用ＩＤとを記憶する。
【００２９】
図６に示すように、図書データベース６０は、各図書２にそれぞれ付されている図書識別用無線タグ４の図書ＩＤに関連付けて、その図書が属する分野の分類番号、図書名、著者などの図書情報を記憶する。このような図書データベース６０は、物品管理データベースとして機能する。
【００３０】
主記憶部４２は、前記図書管理プログラムを記憶する。例えばキーボード４４の操作入力により、この図書管理プログラムが起動すると、ＣＰＵ４１は、図７の流れ図によって示される手順の図書管理処理を開始する。
【００３１】
先ず、ＣＰＵ４１は、ＳＴ（ステップ）１として終了待ちフラグを“０”にリセットする。終了待ちフラグは、例えば主記憶部４２のＲＡＭ領域で記憶している。次に、ＣＰＵ４１は、ＳＴ２としてインターフェース４６を介して接続された無線タグリーダ５に、タグＩＤの読取開始コマンドを送信する。
【００３２】
このコマンドを受けて、無線タグリーダ５は起動する。そして、動作ボタン５Ｂが押下されている間、アンテナ５Ｄを介してタグ問合せ電波を送信する。このタグ問合せ電波は、問合せ先の読取ＩＤを指定しない。したがって、タグ問合せ電波が到達する交信領域６内に存在する無線タグは、全て応答する。無線タグリーダ５は、応答のあった無線タグと個々に無線通信を行い、そのメモリに記憶されているタグＩＤを非接触で読み取る。読み取られたタグＩＤは、通信ケーブル８を介して図書管理端末７に入力される。
【００３３】
読取開始コマンドを送信したＣＰＵ４１は、ＳＴ３として無線タグリーダ５により無線タグのタグＩＤが読み取られるのを待機する。タグＩＤが読み取られたならば（ＳＴ３のＹＥＳ）、ＣＰＵ４１は、ＳＴ４としてそのタグＩＤが、仕切り板３に取り付けられている区画識別用無線タグ３１のタグＩＤ、すなわち区間ＩＤであるか否かを判断する。
【００３４】
本実施の形態では、タグＩＤの種類を、ＩＤの先頭の２桁の数字で識別可能とする。すなわち、図５及び図６を参酌すると、区間ＩＤは、先頭の２桁の数字を「１０」とし、出力調整用ＩＤは「９０」とし、図書ＩＤはそれ以外としている。したがって、ＳＴ４では、ＣＰＵ４１は、読み取られたタグＩＤの先頭の２桁の数字を調べ、「１０」であれば区間ＩＤと認識し、「１０」以外であれば区間ＩＤ以外と認識する。なお、タグＩＤの種類を識別する方法は、これに限定されるものではない。
【００３５】
読み取られたタグＩＤが区間ＩＤ以外であった場合には（ＳＴ４のＮＯ）、ＣＰＵ４１は、ＳＴ３に戻り、次の無線タグのタグＩＤが読み取られるのを待機する。
【００３６】
これに対し、読み取られたタグＩＤが区間ＩＤであった場合には（ＳＴ４のＹＥＳ）、ＣＰＵ４１は、ＳＴ５としてその区間ＩＤを主記憶部４２で記憶する。次に、ＣＰＵ４１は、ＳＴ６としてこの記憶した区間ＩＤで仕切り板データベース５０を検索する。そして、この区間ＩＤに対応して記憶されている出力調整用ＩＤを取得する。
【００３７】
出力調整用ＩＤを取得したならば、ＣＰＵ４１は、ＳＴ７として無線タグリーダ５の電波出力レベルＬを最大レベルＬMAXに設定する。そして、ＳＴ８として無線タグリーダ５に、この最大レベルの電波出力レベルＬMAXで、上記出力調整用ＩＤが設定された無線タグ、すなわち電波出力調整用無線タグ３２の読取指示コマンドを送信する。
【００３８】
このコマンドを受けて、無線タグリーダ５は、動作ボタン５Ｂが押下されている間、タグ問合せ電波を電波出力レベルＬMAXで送信する。このタグ問合せ電波は、問合せ先の読取ＩＤとして上記出力調整用ＩＤを指定する。したがって、タグ問合せ電波が到達する交信領域６内に上記出力調整用ＩＤが設定された無線タグ、すなわち電波出力調整用無線タグ３２が存在すると、その無線タグ３２は応答する。それ以外の無線タグは応答しない。無線タグリーダ５は、応答のあった無線タグ３２と無線通信を行い、そのメモリに記憶されているタグＩＤ、すなわち出力調整用ＩＤを非接触で読み取る。読み取られた出力調整用ＩＤは、通信ケーブル８を介して図書管理端末７に入力される。
【００３９】
読取指示コマンドを送信したＣＰＵ４１は、ＳＴ９として読取対象の出力調整用ＩＤが読み取られるのを待機する。コマンドの送信から所定時間内に上記出力調整用ＩＤが読み取られたならば（ＳＴ９のＹＥＳ）、ＣＰＵ４１は、ＳＴ１０として無線タグリーダ５の電波出力レベルＬを、現段階から１段階下のレベル（Ｌ−１）に変更する。そして、ＳＴ１１として電波出力レベルＬが最小レベルＬMINより小さくなったか否か判断する。電波出力レベルＬが最小レベルＬMIN以上であった場合には（ＳＴ１１のＹＥＳ）、ＳＴ８に戻る。すなわち、無線タグリーダ５に、最新の電波出力レベルＬで同一の読取指示コマンドを送信する。なお、電波出力レベルＬの最大レベルＬMAXと最小レベルＬMINは、無線タグリーダ５の仕様等によって予め設定される。
【００４０】
このように、ＣＰＵ４１は、先ず、無線タグリーダ５の電波出力レベルＬを最大レベルＬMAXに設定した状態で、区間ＩＤに対応して記憶されている出力調整用ＩＤの読み取りを指示する。そして、無線タグリーダ５によって当該出力調整用ＩＤが読み取られたならば、無線タグリーダ５の電波出力レベルＬを１段階下げて、この出力調整用ＩＤの読み取りを再度指示する。そして、この指示を受けた無線タグリーダ５により、当該出力調整用ＩＤが再び読み取られたならば、無線タグリーダ５の電波出力レベルＬをさらに１段階下げる。
【００４１】
こうして、所望の出力調整用ＩＤが読み取られる毎に、無線タグリーダ５の電波出力レベルＬを１段階ずつ下げていき、出力調整用ＩＤが読み取られなくなったならば（ＳＴ９のＮＯ）、ＣＰＵ４１は、ＳＴ１２として出力調整終了を報知する（レベル設定手段）。この報知方法としては、例えば、ディスプレイ４５に出力調整終了を示すメッセージを表示して報知する方法や、図示しないブザーを鳴動させて報知する方法が考えられる。無線タグリーダ５にＬＥＤランプやブザーなどの報知手段が備えられている場合は、この報知手段を動作させてもよい。
【００４２】
なお、電波出力レベルＬを最小レベルＬMINまで下げても、依然として当該出力調整用ＩＤが読み取られた場合には（ＳＴ１１のＹＥＳ）、ＣＰＵ４１は、今回の処理をエラーとして、図書管理プログラムを停止させる。
【００４３】
出力調整終了を報知すると、ＣＰＵ４１は、ＳＴ１３として主記憶部４２に記憶した区間ＩＤで仕切り板データベース５０を再度検索する。そして、この区間ＩＤに対応して記憶されている区間情報である分類番号と分類名称を取得する。
【００４４】
区間情報を取得すると、ＣＰＵ４１は、ＳＴ１４としてその区間情報の分類番号で図書データベース６０を検索する。そして、当該分類番号が設定された図書情報（図書ＩＤ、分類番号、図書名、著者等）を全て抽出する（抽出手段）。当該分類番号が設定された図書情報を抽出し終えたならば、ＣＰＵ４１は、ＳＴ１５として図８の流れ図に具体的に示す蔵書検索処理を実行する。
【００４５】
先ず、ＣＰＵ４１は、ＳＴ２１として読取済ＩＤリストメモリを初期化する。このリストメモリは、主記憶部４２に形成されている。次に、ＣＰＵ４１は、ＳＴ２２として無線タグリーダ５の電波出力レベルを現時点のレベルＬ、すなわち出力調整用ＩＤが読み取られなくなったときの電波出力レベルに設定して、タグＩＤの読取開始コマンドを送信する。
【００４６】
このコマンドを受けて、無線タグリーダ５は、動作ボタン５Ｂが押下されている間、タグ問合せ電波を電波出力レベルＬで送信する。このタグ問合せ電波は、問合せ先の読取ＩＤを指定しない。したがって、タグ問合せ電波の交信領域６内に存在する全ての無線タグが応答する。無線タグリーダ５は、応答のあった無線タグと個々に無線通信を行い、そのメモリに記憶されているタグＩＤを非接触で読み取る。読み取られたタグＩＤは、通信ケーブル８を介して図書管理端末７に入力される。
【００４７】
読取開始コマンドを送信したＣＰＵ４１は、ＳＴ２３として無線タグリーダ５により無線タグのタグＩＤが読み取られるのを待機する。タグＩＤが読み取られたならば（ＳＴ２３のＹＥＳ）、ＣＰＵ４１は、ＳＴ２４としてそのタグＩＤが読取済ＩＤリストメモリに既に記憶されているか否かを判断する。記憶されている場合には（ＳＴ２４のＹＥＳ）、ＣＰＵ４１は、ＳＴ２３に戻り、次のタグＩＤが読み取られるのを待機する。
【００４８】
無線タグリーダ５により読み取られたタグＩＤが、読取済ＩＤリストメモリに未だ記憶されていない新規のタグＩＤであった場合には（ＳＴ２４のＮＯ）、ＣＰＵ４１は、ＳＴ２５としてその読み取ったタグＩＤを読取済ＩＤリストメモリに追加する。しかる後、ＣＰＵ４１は、ＳＴ２６〜ＳＴ２８として読取済ＩＤリストメモリに追加したタグＩＤの種類を判別する。このときも、ＣＰＵ４１は、タグＩＤの先頭の２桁の数字によって、タグＩＤの種類を判別する。
【００４９】
読取済ＩＤリストメモリに追加したタグＩＤが出力調製用ＩＤであった場合（ＳＴ２６のＹＥＳ）、ＣＰＵ４１は、ＳＴ２９として出力調整のやり直しを報知する。この場合の報知方法も、ＳＴ１２の処理の報知方法と同様な方法が考えられる。あるいは、全く別な方法で、ユーザに出力調整のやり直しを報知してもよい。その後、ＣＰＵ４１は、ＳＴ７に戻り、電波出力レベルを最大レベルＬMAXに設定して、ＳＴ８以降の処理を再度実行する。
【００５０】
読取済ＩＤリストメモリに追加したタグＩＤが区間ＩＤであった場合には（ＳＴ２７のＹＥＳ）、ＣＰＵ４１は、ＳＴ３０としてその区間ＩＤが、ＳＴ５の処理で主記憶部４２に記憶した区間ＩＤと一致するか否かを判断する。一致する場合（ＳＴ３０のＮＯ）、ＣＰＵ４１は、ＳＴ２３に戻り、次のタグＩＤが読み取られるのを待機する。一致しない場合（ＳＴ３０のＹＥＳ）、すなわち別の仕切り板３に設けられた区画識別用無線タグ３１を読み取った場合については、後述する。
【００５１】
読取済ＩＤリストメモリに追加したタグＩＤが出力調製用ＩＤや区間ＩＤでなく、図書ＩＤであった場合には（ＳＴ２８のＹＥＳ）、ＣＰＵ４１は、ＳＴ３１として、ＳＴ１４の処理で図書データベース６０から抽出した全ての図書情報を検索する。そして、ＳＴ３２としてこの図書情報の中に、今回読み取った図書ＩＤを含む情報が存在するか否かを判定する（判定手段）。存在する場合（ＳＴ３２のＹＥＳ）、ＣＰＵ４１は、ＳＴ３３として抽出した図書情報から当該図書ＩＤを含む情報を削除する。しかる後、ＳＴ２３に戻り、次のタグＩＤが読み取られるのを待機する。
【００５２】
これに対し、抽出した図書情報のなかに、今回読み取った図書ＩＤを含む情報が存在しない場合には（ＳＴ３２のＮＯ）、ＣＰＵ４１は、ＳＴ３４として図書データベース６０を検索して、今回読み取った図書ＩＤに対応する分類番号、図書名称、著者等の図書情報を取得する。そして、ＳＴ３５としてこの取得した図書情報を、ＳＴ１３の処理で取得した区間情報等とともにディスプレイ４５に表示して、不適切な図書が収容されていることをユーザに警告する（報知手段）。
【００５３】
このときの表示画面（警告画面７０）の一例を図９に示す。図示するように、警告画面７０には、区間情報である分類番号及び分類名称７１と、不適切な図書が収容されていることを警告するメッセージ７２と、今回読み取った図書ＩＤに対応する図書情報７３と、継続ボタン７４と、中止ボタン７５とが表示される。図書管理端末７は、キーボード４４または図示しないマウスを操作することで、警告画面７０上の継続ボタン７４と中止ボタン７５を選択的に入力することができる。ディスプレイ４５をタッチパネル付のディスプレイとし、警告画面７０上の継続ボタン７４及び中止ボタン７５の領域に接触することで、継続ボタン７４及び中止ボタン７５を選択的に入力できるようにしてもよい。なお、警告画面７０のレイアウトは、図９に限定されるものではなく、種々変形実施可能であることはいうまでもないことである。
【００５４】
警告画面７０を表示させたＣＰＵ４１は、ＳＴ３６として継続ボタン７４と中止ボタン７５のうちいずれか一方のボタンが入力されるのを待機する。継続ボタン７４が入力された場合には、ＣＰＵ４１は、ＳＴ２３に戻り、次のタグＩＤが読み取られるのを待機する。中止ボタン７５が入力された場合には、ＣＰＵ４１は、ＳＴ３７として無線タグリーダ５にタグＩＤの読取終了コマンドを送信して、蔵書検索処理を終了する。
【００５５】
この読取終了コマンドを受けた無線タグリーダ５は、その動作を停止する。したがって、動作ボタン４Ｂを押下しても、電波が送信されることはない。
【００５６】
ＳＴ３０の判断処理にて、読み取った区間ＩＤが主記憶部４２で記憶している区間ＩＤと異なる場合（ＳＴ３０のＹＥＳ）、ＣＰＵ４１は、ＳＴ３８として終了待ちフラグを“１”にセットする。しかる後、ＳＴ２３の処理に戻る。
【００５７】
ＣＰＵ４１は、ＳＴ２３にて次のタグＩＤが読み取られるのを待機する際、ＳＴ３９として終了待ちフラグを調べる。ここで、終了待ちフラグが“０”にリセットされていた場合には（ＳＴ３９のＮＯ）、次のタグＩＤが読み取られるのを待機する。
【００５８】
これに対し、終了待ちフラグが“１”にセットされていた場合には（ＳＴ３９のＹＥＳ）、ＣＰＵ４１は、ＳＴ４０として無線タグリーダ５に、前記読取終了コマンドを送信して、蔵書検索処理を終了する。すなわち、ＳＴ５の処理で記憶した区間ＩＤと別の区間ＩＤが無線タグリーダ５によって読み取られると、蔵書検索処理が終了する。
【００５９】
蔵書検索処理が終了すると、ＣＰＵ４１は、ＳＴ１６としてディスプレイ４５に不在図書リスト画面を表示させる（報知手段）。この画面には、ＳＴ１４の処理で抽出した図書情報のうち、ＳＴ３３の処理で削除されなかった図書情報（図書ＩＤ、分類番号、図書名称、著者等）の一覧が表示される。また、警告画面７０と同様の継続ボタンと中止ボタンとが表示される。
【００６０】
ＣＰＵ４１は、ＳＴ１７として継続ボタンと中止ボタンのうちいずれか一方のボタンが入力されるのを待機する。継続ボタンが入力された場合には、ＣＰＵ４１は、ＳＴ１の処理に戻る。中止ボタンが入力された場合には、ＣＰＵ４１は、図書管理プログラムを停止させる。
【００６１】
本実施形態の図書管理システムは、上述した仕切り板３と、ラベル２０と、無線タグリーダ５を接続した図書管理端末７とにより構成される。このような図書管理システムが導入される図書館では、書棚１の棚板１Ａ，１Ｂ，１Ｃに、図書２を分野別に分類して収容する際に、図１に示すように、図書２の背表紙に付されている図書識別用無線タグ４が書棚１の手前に位置するように収容する。そして、分野の異なる図書２の間に、適切なラベル２０が貼り付けられた仕切り板３を適宜挿入して、分野別に分類された図書２を収容するための区画を形成する。
【００６２】
図１の場合、書棚１の最上段の棚板１Ａの右端に挿入された仕切り板３Ａから、この棚板１Ａの略中央に挿入された仕切り板３Ｂまでが、第１の分野に属する図書を収容するための区画となる。また、この仕切り板３Ｂから２段目の棚板１Ｂの右側に挿入された仕切り板３Ｃまでが、第２の分野に属する図書を収容するための区画となる。また、この仕切り板３Ｃから、同棚板１Ｂの左側に挿入された仕切り板３Ｄまでが、第３の分野に属する図書を収容するための区画となる。また、この仕切り板３Ｄから３段目の棚板１Ｃに挿入された仕切り板３Ｅまでが、第４の分野に属する図書を収容するための区画となる。また、この仕切り板３Ｅから棚板１Ｃ１の左端までが、第５の分野に属する図書を収容するための区画となる。
【００６３】
この場合、仕切り板３Ａには、第１の分野を示す区間情報が印刷されたラベル２０Ａが貼り付けられる。仕切り板３Ｂには、第２の分野を示す区間情報が印刷されたラベル２０Ｂが貼り付けられる。仕切り板３Ｃには、第３の分野を示す区間情報が印刷されたラベル２０Ｃが貼り付けられる。仕切り板３Ｄには、第４の分野を示す区間情報が印刷されたラベル２０Ｄが貼り付けられる。仕切り板３Ｅには、第５の分野を示す区間情報が印刷されたラベル２０Ｅが貼り付けられる。
【００６４】
ラベル２０Ａには、仕切り板データベース５０において、第１の分野の区間情報である分類番号と分類名称とが設定されたレコードの区間ＩＤを記憶した区画識別用無線タグ３１Ａと、同レコードの出力調整用ＩＤを記憶した電波出力調整用無線タグ３２Ａとが取り付けられている。同様に、ラベル２０Ｂには、第２の分野の区間情報である分類番号と分類名称とが設定されたレコードの区間ＩＤを記憶した区画識別用無線タグ３１Ｂと、同レコードの出力調整用ＩＤを記憶した電波出力調整用無線タグ３２Ｃとが付されている。ラベル２０Ｃ〜２０Ｅについても同様である。
【００６５】
このような書棚１に収容されている図書２の蔵書整理を行う場合、担当者は、図書管理端末７の図書管理プログラムを起動した後、先ず、無線タグリーダ５のアンテナ面５Ｃを第１の分野に属する図書を収容するための区画の起点となる書棚１の最上段右端に近づけて、動作ボタン５Ｂを押下する。そうすると、無線タグリーダ５からタグ問合せ電波が送信される。そして、この電波に、仕切り板３Ａに設けられた区画識別用無線タグ３１Ａが応答し、そのタグＩＤ（区間ＩＤ）が無線タグリーダ５によって読み取られると、仕切り板データベース５０から当該区間ＩＤに対応して記憶されている出力調整用ＩＤが取得される。そして、無線タグリーダ５からこの出力調整用ＩＤを指定したタグ問合せ電波が送信される。
【００６６】
このとき、電波の送信出力は、無線タグリーダ５の仕様の最大レベルＬMAXである。この最大レベルＬMAXは、電波が書棚１の奥まで充分に到達するレベルであると仮定すると、仕切り板３Ａに設けられた電波出力調整用無線タグ３２Ａは電波を受信する。また、仕切り板３Ａの近傍に位置する図書２の図書識別用無線タグ４も電波を受信する。さらに、書棚１の背面側に別の書棚があった場合には、その書棚に収容されている図書２の図書識別用無線タグ４も電波を受信する可能性がある。しかし、タグ問合せ電波は、出力調整用ＩＤを指定しているので、このＩＤを記憶した無線タグ、すなわち、電波出力調整用無線タグ３２Ａしか応答しない。
【００６７】
電波出力調整用無線タグ３２Ａが応答して、そのタグＩＤ（出力調整用ＩＤ）が読み取られると、無線タグリーダ５から同一の出力調整用ＩＤを指定したタグ問合せ電波が再度送信される。ただし、このときの電波出力レベルは、前回より１段階小さくなる。こうして、無線タグリーダ５は、電波出力レベルを段階的に小さく調整しながら、同一の出力調整用ＩＤを指定したタグ問合せ電波の送信動作を繰り返す。そして、電波出力調整用無線タグ３２ＡのタグＩＤが読み取られなくなると、出力調整終了が報知される。
【００６８】
このように、出力調整終了が報知されたときの電波出力レベルＬは、電波が仕切り板３Ａの挿入方向に対して奥側の端面近傍に設けられた電波出力調整用無線タグ３２Ａまで到達しないレベルである。したがって、電波が書棚１の背面側に置かれた別の書棚に収容された図書の図書識別用無線タグ４まで到達することはない。
【００６９】
出力調整終了を確認した担当者は、動作ボタン５Ｂを押下したまま、無線タグリーダ５を第１の分野に属する図書を収容するための区画に沿ってゆっくりと左側へ動かす。このとき、無線タグリーダ５から送信されるタグ問合せ電波の出力レベルは、出力調整終了時のレベルＬである。したがって、無線タグリーダ５の移動に伴ない、無線タグリーダ５から送信されるタグ問合せ電波は、その区画内に収容されている各図書２の図書識別用無線タグ４で受信される。その結果、無線タグリーダ５は、これらの図書識別用無線タグ４のデータ（図書ＩＤ）を読み取ることができる。
【００７０】
一方、図書管理端末７においては、出力調整終了に応動して、図書データベース６から第１の分野に属する図書の図書情報が一括して抽出される。そして、無線タグリーダ５により図書ＩＤが読み取られる毎に、この図書ＩＤを含む図書情報が、抽出した図書情報の中に存在するか検索される。存在する場合には、抽出した図書情報の中からその図書情報が削除される。
【００７１】
これに対し、存在しない場合には、図９に示すような警告画面７０が表示される。担当者は、この画面７０の内容から、蔵書整理中の区画内に収容されている図書ＩＤ「１２３４５６７８９」の図書「ＡＡＡＡＡＡＡＡ」は、その区画に収容するべき分類番号「３００」の分野に属する図書ではないことを容易に知ることができる。
【００７２】
このとき、担当者は、例えばこの図書「ＡＡＡＡＡＡＡＡ」を書棚１から抜き取った後、継続ボタン７４を押下する。その後、無線タグリーダ５をさらに左側へ移動させる。そして、無線タグリーダ５が第１の分野に属する図書を収容するための区画の終点となる仕切り板３Ｂの挿入位置を越えると、無線タグリーダ５によって、この仕切り板３Ｂに設けられている区間識別用無線タグ３１ＢのタグＩＤ（区間ＩＤ）が読み取られる。なお、仕切り板３Ｂの挿入位置を越えるまでは、仕切り板３Ｂの第１の板体１１が電波を遮蔽する部材で構成されているので、無線タグリーダ５によって、区間識別用無線タグ３１Ｂや、この隣接する区画に収容されている図書の図書識別用無線タグ４が読み取られることはない。
【００７３】
区間識別用無線タグ３１ＢのタグＩＤ（区間ＩＤ）が読み取られると、無線タグリーダ５は、読み取動作を一旦停止する。このとき、削除されずに残った図書情報があった場合には、その図書情報のリストがディスプレイ４５に表示される。このリストの図書情報は、本来、当該区画内に存在するべき図書の情報である。したがって、担当者は、リストに表示された図書が蔵書整理中の区画内に存在していないことを容易に把握することができる。
【００７４】
このリスト画面にも、継続ボタンと中止ボタンとが表示される。次の区画の蔵書整理を行う場合、担当者は継続ボタンを押す。そして、次の区画の起点となる仕切り板の挿入位置に無線タグリーダ５を近づけて動作ボタン５Ｂを押下する。以後は、前記と同様にして、蔵書整理を実行すればよい。次の区画の蔵書整理を行わない場合は、中止ボタンを押す。
【００７５】
このように、本実施の形態によれば、無線タグリーダ５を書棚１の区画に近づけ、その区画に沿って図書２の整列方向に移動させながら無線タグの読み取動作を行なわせるだけで、その区画に収容されている図書を整理することができる。すなわち、間違った区画に収容されている図書を見つけたり、正しく収容されていない図書のリストを得たりすることができる。この場合において、書棚１における各区画のサイズは、仕切り板３Ａ〜３Ｅの挿入箇所をずらすだけで増減させることができる。したがって、図書の増減により区画のサイズに変更が生じたり、分野のレイアウトを変更したりする場合でも、仕切り板３を抜き差しするだけでよいので、容易に対処できる。
【００７６】
また、本実施の形態では、蔵書整理を行っている間の無線タグリーダ５の電波出力レベルを、電波が仕切り板３の挿入方向に対して奥側の端面近傍に設けられた電波出力調整用無線タグ３２まで到達しないレベルとしている。したがって、書棚１の背面側に置かれた別の書棚に収容された図書が、蔵書整理を行っている区画に収容されていると誤判定することはなく、信頼性の高い図書管理システムを実現することができる。
【００７７】
次に、仕切り板の他の実施形態について説明する。図１０の（ａ）は、他の実施形態における仕切り板９の正面図、図１０の（ｂ）は裏面図、図１０の（ｃ）は図１０（ｂ）のＲ−Ｒ矢視断面図である。仕切り板９は、電波を遮断する部材からなる第１の板体９１の両面に、所定の間隔を有して周期的に配列される正方形の導体パターンを形成してなるＥＢＧ（Electronic Band Gap）構造体９２，９３を配置し、さらに各ＥＢＧ構造体９２，９３の表面を、それぞれ保護層９４，９５で覆うことにより、本体９０を構成している。そして、この本体９０に、前記ラベル２０を貼り付けている。
【００７８】
ＥＢＧ構造体９２，９３は、電磁波の波長より短い周期で導体パターンを配置することで、特定帯域の電磁波の反射を抑制する特性を有する。したがって、一方のＥＢＧ構造体９２にラベル２０を介して無線タグ３１，３２を設け、この無線タグ３１，３２が設けられている側から仕切り板９に無線タグリーダ５を近づけると、無線タグリーダ５は、無線タグ３１，３２のデータを読み取ることができる。このとき、無線タグリーダ５からの電波は、第１の板体９１によって反射するので、無線タグ３１，３２が設けられている側とは反対側に位置する無線タグを読み取ってしまうことはない。したがって、前記実施形態と同様な作用効果を奏することができる。
【００７９】
なお、ＥＢＧ構造体９２，９３の導体パターンは、図１０に示すものに限定されるものではなく、特定帯域の電磁波の反射を抑制する特性を有するパターンであればよい。
【００８０】
本発明は、前記実施形態そのままに限定されるものではなく、実施段階ではその要旨を逸脱しない範囲で構成要素を変形して具体化できる。
【００８１】
例えば、前記実施の形態では、区画識別用無線タグ３１及び電波出力調整用無線タグ３２をラベル２０を介して仕切り板３，９に取り付けたが、仕切り板３，９の本体１０，９０の表面に直接取り付けてもよい。また、物品棚の背面側に別の棚が位置することのない運用形態では、電波出力調整用無線タグ３２を省略することができる。
【００８２】
また、前記実施の形態では、仕切り板３，９において、第１の板体１１，９１の両面に第２の板体１２，１３またはＥＢＧ構造体９２，９３を貼り付けたが、図１の書棚１に挿入されている仕切り板３Ａについては、無線タグ３１，３２が設けられる側だけに第２の板体１２またはＥＢＧ構造体９２を貼り付けるだけであってもよい。こうすることにより、板体本体１０．９０の厚みを薄くすることができる。
【００８３】
また、本発明は、書棚１に収容される図書の管理システムに限定されるものではなく、棚に分野別に分類されて収容される物品の管理システム全般に適用できるものである。
【符号の説明】
【００８４】
１…書棚、２…図書、３、９…仕切り板、４…図書識別用無線タグ、５…無線タグリーダ、７…図書管理端末、１０，９０…仕切り板本体、１１，９１…第１の板体、１２，１３…第２の板体、２０…ラベル、３１…区間識別用無線タグ、３２…出力調整用無線タグ、５０…仕切り板データベース、６０…図書データベース、９２，９３…ＥＢＧ構造体。
【先行技術文献】
【特許文献】
【００８５】
【特許文献１】特開２００５−３５０２０５号公報
【図１】
2010247906.tif 000003
【図２】
2010247906.tif 000004
【図３】
2010247906.tif 000005
【図４】
2010247906.tif 000006
【図５】
2010247906.tif 000007
【図６】
2010247906.tif 000008
【図７】
2010247906.tif 000009
【図８】
2010247906.tif 000010
【図９】
2010247906.tif 000011
【図１０】
2010247906.tif 000012